(57)【要約】【課題】召合せ部等の接触・衝突を無くして、障子または戸を円滑に開閉し得るようにする。【解決手段】外ケース２内に、ローラ５およびその保持枠４からなる戸車本体３が、前記外ケース２の側壁間に横架された水平支軸９によって室内外方向にスライド可能な状態で支持されるとともに、前記水平支軸９に対して前記戸車本体３と係合し一体的にスライド動作するとともに、ラックギア部６Ａを有する作動ブロック片６を設ける一方、前記外ケース２に対しレール方向の回転中心軸をもって回転自在とされるとともに、周面に前記作動ブロック片６のラックギア部６Ａに噛合するピニオンギア部７Ａが形成された室内外方向調整部材７を設け、前記室内外方向調整部材７の回転調整により前記作動ブロック片６を水平支軸方向にスライドさせ、前記戸車本体３を室内外方向に位置調整可能とする。【選択図】　図１
2004084282.tif 000002
【特許請求の範囲】
【請求項１】
外ケース内に、ローラおよびその保持枠からなる戸車本体が、前記外ケースの側壁間に横架された水平支軸によって室内外方向にスライド可能な状態で支持されるとともに、前記水平支軸に対して前記戸車本体と係合し一体的にスライド動作するとともに、ラックギア部を有する作動ブロック片を設ける一方、前記外ケースに対しレール方向の回転中心軸をもって回転自在とされるとともに、周面に前記作動ブロック片のラックギア部に噛合するピニオンギア部が形成された室内外方向調整部材を設け、前記室内外方向調整部材の回転調整により前記作動ブロック片を水平支軸方向にスライドさせ、前記戸車本体を室内外方向に位置調整可能としたことを特徴とする調整戸車。
【請求項２】
前記戸車本体は、前記水平支軸を回転中心として回動可能な状態で支持されるとともに、前記保持枠の背面壁に対して直接または間接的に先端が当接する上下方向調整ネジを設け、この上下方向調整ネジの前後進調整により前記戸車本体を回動させ、前記戸車本体を略上下方向に位置調整可能としてある請求項１記載の調整戸車。
【請求項３】
前記室内外方向調整部材と外ケースとの当接接触面部において、一方の側に噛合爪を形成するとともに、他方の側に周方向に亘って前記噛合爪が係合する噛合爪受け部を形成し、かつ前記作動ブロック片から延在するバネ板部を室内外方向調整部材に係合させることにより室内外方向調整部材を戸車本体側に付勢保持してある請求項１、２いずれかに記載の調整戸車。
【発明の詳細な説明】
【０００１】
【発明の属する技術分野】
本発明は、たとえば引き違い障子等において、障子を室内外方向に調整可能とする室内外方向調整機構、または前記室内外方向調整機構と共に上下方向調整機構を兼ね備えた調整戸車に関する。
【０００２】
【従来の技術】
従来より、片引き・引き違い形式の戸または障子等においては、開閉時の滑り抵抗を軽減し開閉操作を円滑化するために、その下端面に対して戸車が設けられている。かかる戸車に関しては、従来より建付け後に戸または障子等を上下方向に調整し得るようにしたものが数多く提案されている。例えば、図１０に示される調整戸車では、ローラ５０を内枠５１と外枠５２とからなる保持枠５３により保持し、前記外枠５２から貫通状態で設けられた上下方向調整ネジ５４を前記内枠５１に対して螺合させ、この上下方向調整ネジ５４を回して内枠５１をレール方向にスライドさせることにより、戸または障子を上下方向に調整可能としている。具体的には、前記内枠５１にローラ５０のローラ軸５０ａを保持するための斜め方向溝５１ａを形成するとともに、外枠５２にローラ軸５０ａを保持する鉛直方向溝５２ａを形成し、前記ローラ５０を前記内枠５１に装着した状態で外枠５２を嵌め込むことにより、これら両溝５１ａ、５２ａの交差部によってローラ軸５０ａを保持するように構成し、前記上下方向調整ネジ５４を回して前記内枠方向溝５１ａにガイドされてローラ５０が上下方向に移動し、相対的に障子または戸全体が上下方向に移動調整可能となっている。
【０００３】
しかしながら、引き違い障子等においては、戸または障子等の建付け、建込み時の調整具合や、経時的に生ずる障子自体の反り・変形等により、内障子と外障子の召合せ部等が接触したり、衝突したりする不具合が生じることがあった。近年、このような不具合に対処するため、前記上下調整機構とともに、室内外方向調整機構を備えた調整戸車が幾つか提案されている。例えば、特開平１１−２８０３２７号公報では、前記室内外方向調整機構に関して、レールの上を回転走行する車輪を車輪ホルダに支持させ、車輪ホルダが戸板に固定されるハウジングに固定された基軸に支持され、基軸に沿って車輪ホルダをスライドさせて横移動させる調整戸車において、前記室内外方向の調整操作部は、基軸に直交する方向から戸板の木口面側にハウジングに露出して配設された回動部材で構成され、回動部材の回動により変位して車輪ホルダを基軸に沿って横移動させる偏心軸が回動部材と車輪ホルダとの間に設けられた室内外方向調整機構が開示されている。
【０００４】
【発明が解決しようとする課題】
しかしながら、前述した偏心軸方式の室内外方向調整機構の場合は、回動部材の回動量と車輪ホルダの横移動量とが直線的な比例関係にならず、回動操作を始めた初期段階は僅かの回動量でも車輪ホルダが横方向に大きく移動し、終期段階では回動操作量が大きくても車輪ホルダの横移動量が僅かとなるため、調整が精度良く出来ないなどの問題があった。
【０００５】
そこで、本発明の主たる課題は、召合せ部等の接触・衝突を無くして障子または戸を円滑に開閉し得るようにするとともに、高い精度で室内外方向の調整を行えるようにした調整戸車、及び室内外方向調整機構と共に上下調整機構を備えた二次元調整戸車を提供することにある。
【０００６】
【課題を解決するための手段】
前記課題を解決するために請求項１に係る発明として、外ケース内に、ローラおよびその保持枠からなる戸車本体が、前記外ケースの側壁間に横架された水平支軸によって室内外方向にスライド可能な状態で支持されるとともに、前記水平支軸に対して前記戸車本体と係合し一体的にスライド動作するとともに、ラックギア部を有する作動ブロック片を設ける一方、前記外ケースに対しレール方向の回転中心軸をもって回転自在とされるとともに、周面に前記作動ブロック片のラックギア部に噛合するピニオンギア部が形成された室内外方向調整部材を設け、前記室内外方向調整部材の回転調整により前記作動ブロック片を水平支軸方向にスライドさせ、前記戸車本体を室内外方向に位置調整可能としたことを特徴とする調整戸車が提供される。
【０００７】
上記請求項１記載の発明においては、戸または障子等の建付け、建込み時に内・外の戸・障子等の召合せ部が接触したり、または衝突する場合であっても、ドライバーなどの手工具類により、前記室内外方向調整部材を回転させることにより、戸車本体を室内外方向に位置調整できるため、かかる不具合を簡単に修正することができる。また、経時変化により、その後に戸または障子等に反りや変形が生じ、障子同士が接触するようになった場合でも、居住者が簡単にこれを修正することができる。
【０００８】
また、本発明では特に、前記作動ブロック片と室内外方向調整部材との接触係合部において、前記室内外方向調整部材の周面にピニオンギアを形成するとともに、前記作動ブロック片にラックギア部を形成し、所謂ラック＆ピニオンギア機構により前記作動ブロック片を横移動させるようにしたため、前記室内外方向調整部材の回転量と作動ブロック片の移動量（戸車本体の移動量）とを直線的な一次比例関係とすることができる。
【０００９】
請求項２に係る発明として、前記戸車本体は、前記水平支軸を回転中心として回動可能な状態で支持されるとともに、前記保持枠の背面壁に対して直接または間接的に先端が当接する上下方向調整ネジを設け、この上下方向調整ネジの前後進調整により前記戸車本体を回動させ、前記戸車本体を略上下方向に位置調整可能としてある請求項１記載の調整戸車が提供される。請求項１記載の室内外方向調整機構に加えて、上下調整機構を備え、二次元調整戸車とした場合の構造である。
【００１０】
請求項３に係る発明として、前記室内外方向調整部材と外ケースとの当接接触面部において、一方の側に噛合爪を形成するとともに、他方の側に周方向に亘って前記噛合爪が係合する噛合爪受け部を形成し、かつ前記作動ブロック片から延在するバネ板部を室内外方向調整部材に係合させることにより室内外方向調整部材を戸車本体側に付勢保持してある請求項１、２いずれかに記載の調整戸車が提供される。
【００１１】
上記請求項３記載の本発明においては、作動ブロック片に設けられたバネ板部が室内外方向調整部材に係合することで、前記作動ブロック片が戸車本体側に付勢保持されるとともに、前記室内外方向調整部材と外ケースとの当接接触面部にギア状の噛合部を設けるようにしたため、前記室内外方向調整部材を回動させる際、１爪毎にギア音が生じるようになり、調整具合をより確実に把握することができるようになる。
【００１２】
【発明の実施の形態】
以下、本発明の実施の形態について図面を参照しながら詳述する。図１は本発明に係る二次元戸車の縦断面図、図２は図１のＩＩ−ＩＩ線矢視図、図３は分解図である。
【００１３】
本発明に係る二次元調整戸車（以下、単に調整戸車という。）１は、主に外ケース２と、ローラ５およびローラ保持枠４からなる戸車本体３と、前記戸車本体３を外ケース２に対して回動可能に支持する水平支軸９と、前記ローラ保持枠４の背面壁に対して先端が当接するように配置され、前後進調整により戸車本体３の上下方向調整を行うための上下方向調整ネジ８と、前記戸車本体３と係合しながら前記水平支軸９に挿通支持され戸車本体３と共に室内外方向にスライド動作する作動ブロック片６と、この作動ブロック片６を室内外方向にスライド移動させるための室内外方向調整部材７とにより構成される。
【００１４】
前記外ケース２は、図１および図３に示されるように、例えばポリアミド等の樹脂又は亜鉛合金等の金属により製造された成型品であり、下側に開口する戸車本体３を収容するための内空部２ａを有し、障子の側端面側（以下、障子端側という。）の側壁部に上下方向調整ネジ８の設置部、および室内外方向調整部材７の設置部を有する。また、室内外方向に対面する両側面壁には戸車本体３を回動支持する水平支軸９のための保持孔１５が形成され、障子端側の上部および他端側の下面には障子への取付けのためにビス孔を有する突出片１１，１２が形成されている。
【００１５】
前記外ケース２の障子端側の上部位置には、上下方向調整ネジ８の取付け孔１３（以下、ネジ取付け孔という。）が形成されるとともに、前記ネジ取付け孔１３の内部には雌ネジ孔２ｄが形成され、前記上下方向調整ネジ８は、この雌ネジ孔２ｄに対し螺入される。
【００１６】
前記ネジ取付け孔１３の下方位置には、室内外方向調整部材７の取付け孔１７（以下、取付け孔という。）が形成されており、図４および図５に示されるように、この取付け孔１７の木口側周縁には周方向に沿って多数の噛合爪受け部１７ａ、１７ａ…が形成されている。
【００１７】
前記取付け孔１７に対して嵌設される室内外方向調整部材７は、図３および図６に示されるように、周方向に沿ってピニオンギア７ａ、７ａ…が形成されたピニオンギア部７Ａと、このピニオンギア部７Ａの一端側に隣接するネジ回し用溝孔が形成された操作部７Ｂと、前記ピニオンギア部７Ａの他端側に、細径軸部７Ｄを介して隣接するとともに、作動ブロック片６から延在するバネ板部６ｂが係合する受け係合部７Ｃとから構成されている。前記操作部７Ｂの戸車本体３側の面には、左右上下に夫々噛合爪７ｂ、７ｂ…が形成されており、取付け状態では前記取付け孔１７部に形成された噛合爪受け部１７ａ、１７ａに対し噛合するようになっている。
【００１８】
他方、前記作動ブロック片６は、図３および図７に示されるように、木口側から見て前部側には前記室内外方向調整部材７との接触面にラックギア６ａ、６ａ…が形成されたラックギア部６Ａが設けられ、後部側には前記室内外方向調整部材７の受け係合部７Ｃに係合するバネ板部６ｂが斜め上方向に突出して設けられている。また、下部には水平支軸９が挿通される通孔６ｃが形成されている。
【００１９】
次いで前記戸車本体３は、図１および図３に示されるように、ローラ５と、このローラ５を回転軸２０により回転自在に支持するローラ保持枠４とから構成されている。前記ローラ保持枠４は、金属板の成形により又はダイカスト法によって製造された略コ字状断面の部材であり、下方側には対峙する両側面の一部が水平方向に突出して回動保持部４ａが形成され、この回動保持部４ａに水平支軸９が挿通するための通孔４ｂが形成されている。
【００２０】
組立は、図３に示されるように、室内外方向調整部材７を取付け孔１７部に装着する一方、作動ブロック片６を前記戸車本体３の一対の回動保持部４ａ、４ａ間に装入し、保持枠４の通孔４ｂと作動ブロック片６の通孔６ｃとを連続させた状態のまま、これら戸車本体３と外ケース２の内空部２ａに装入し、外ケース２の側部から水平支軸９を前記通孔４ｂ、通孔６ｃを通して挿通し、対壁面側で先端をカシメて固定する。
【００２１】
組込み状態では、室内外方向調整部材７に形成されたピニオンギア７ａ、７ａ…と、作動ブロック片６のラックギア６ａ、６ａ…とが噛合するようになっている。また、図１に示されるように、前記室内外方向調整部材７の受け係合部７Ｃに対して前記作動ブロック片６のバネ板部６ｂが係合し、前記バネ板部６ｂの弾性により室内外方向調整部材７が戸車本体３側に付勢保持されている。
【００２２】
したがって、前記室内外方向調整部材７を左右方向に回転させると、前記ピニオンギア７ａとラックギア６ａとの噛合により、作動ブロック片６が水平支軸９に沿ってスライド動作するとともに、作動ブロック片６と一体的に動作する戸車本体３が室内外方向に移動される。また、前記室内外方向調整部材７の回転調整時には、室内外方向調整部材７に形成された噛合爪７ｂと、取付け孔１７部に形成された噛合爪受け部１７ａとの係合により、１爪回転毎にギア音が生ずる。
【００２３】
また、上下方向調整を行う場合には、上下方向調整ネジ８を回転し螺進／螺退させることにより、戸車本体３を前記水平支軸９を回転中心として回動させ、戸車本体３を上下方向に位置調整する。前記上下方向調整ネジ８は直接的に保持枠４の背面に当接させてもよいが、本例では前記保持枠４の背面壁と上下方向調整ネジ８先端との間に、下端側の室内外方向回動軸をもって回動自在とされる保持枠押え板１０を介在させている。前記保持枠押え板１０は、図３に示されるように、方形板１０ａの一側がわ両端部に突起軸１０ｂ、１０ｂを備えたもので、取付けは外ケース２の側面に形成された装入孔２ｂより外ケース２内に装入し、図１に示されるように、前記装入孔２ｂの端部に形成された軸保持部２ｃ、２ｃに対して保持枠押え板１０の突起軸１０ｂ、１０ｂが係合し、前記突起軸１０ｂ、１０ｂを回転中心軸として回動するようになっている。したがって、上下方向調整時に、上下方向調整ネジ８を螺入させて戸車本体３を下方向に回動させた際には、共に回動して保持枠４の背面を均一に押圧する。
【００２４】
なお、外ケース２の障子端面側には、図２に示されるように、上下方向調整の調整方向表示、および室内外方向調整の調調整方向表示が刻印されており調整方向を間違えずに行えるようにしてあり、調整後には見栄えのためにキャップ１４が設けられるようになっている。
【００２５】
ところで、上記例では室内外方向調整部材７を戸車本体３側に付勢保持するに当たり、作動ブロック片６のバネ板部６ｂを常に室内外方向調整部材７の受け係合部７Ｃの下端側に係合させるようにしてあるが、図９に示されるように、作動ブロック片６のバネ板部６ｂの突出長を長くするとともに、中央にＵ字状の切欠き６ｄを形成し、一方前記室内外方向調整部材７は図８に示されるように、細径軸部７Ｄを回転中心線Ｌから偏心させた位置とし、組み立て状態では、前記室内外方向調整部材７の細径軸部７Ｄを前記作動ブロック片６のＵ字状切欠き６ｄに係合させるようにしてもよい。この場合においても、作動ブロック片６の移動は、室内外方向調整部材７の回転によるラック＆ピニオンギア機構により成されるが、作動ブロック片６の移動に同調して、前記室内外方向調整部材７の細径軸部７Ｄが回転により水平方向に移動するため、前記作動ブロック片６の移動を阻害することなく調整できるようになる。
【００２６】
【発明の効果】
以上詳説のとおり本発明によれば、戸または障子を室内外方向に移動調整できるため、召合せ部等の接触・衝突を無くして、常に障子または戸を円滑に開閉し得る状態に維持できる。また、ラック＆ピニオンギア機構により前記作動ブロック片をスライドさせるようにしたため、室内外方向調整部材と回転量と、作動ブロック片の移動量とを直線的な一次比例の関係とすることができ、微妙な調整が行えるようになる。
【図面の簡単な説明】
【図１】本発明に係る二次元調整戸車１の縦断面図である。
【図２】図１のＩＩ−ＩＩ線矢視図である。
【図３】二次元調整戸車１の分解図である。
【図４】外ケース２の正面図である。
【図５】取付け孔１７部の縦断面図である。
【図６】室内外方向調整部材７を示す、（Ａ）は側面図、（Ｂ）は正面図、（Ｃ）は背面図である。
【図７】作動ブロック片６を示す、（Ａ）は側面図、（Ｂ）は平面図、（Ｃ）は正面図である。
【図８】室内外方向調整部材７の変形例を示す、（Ａ）は側面図、（Ｂ）は正面図、（Ｃ）は背面図である。
【図９】作動ブロック片６の変形例を示す、（Ａ）は側面図、（Ｂ）は平面図、（Ｃ）は正面図である。
【図１０】従来の戸車の側面図である。
【符号の説明】
１…調整戸車、２…外ケース、３…戸車本体、４…ローラ保持枠、５…ローラ、６…作動ブロック片、６Ａ…ラックギア部、６ｂ…バネ板部、７…室内外方向調整部材、７Ａ…ピニオンギア部、７Ｃ…受け係合部、８…上下方向調整ネジ、９…水平支軸、１０…保持枠押え板
【図１】
2004084282.tif 000003
【図２】
2004084282.tif 000004
【図３】
2004084282.tif 000005
【図４】
2004084282.tif 000006
【図５】
2004084282.tif 000007
【図６】
2004084282.tif 000008
【図７】
2004084282.tif 000009
【図８】
2004084282.tif 000010
【図９】
2004084282.tif 000011
【図１０】
2004084282.tif 000012